(57)【要約】      （修正有）【課題】簡単な構造で外部から常時見える表示体を収納配備するシートホルダーを提供する。【解決手段】ホルダー本体１の内部において、両端の第一空間部１ａにマグネット２をそれぞれ収納するとともに、第一空間部１ａの間に配置される第二空間部１ｂに表示体３を収納することにより、被着面Ｂに対しホルダー本体１がマグネット２の吸着でシートＣの有無に関係なく着脱自在に貼り付けられた状態において、表示体３が第二空間部１ｂの前面を覆う透明カバー部１ｃを透して常時透視可能となる。【選択図】図１
2014051083.tif 000002
【特許請求の範囲】
【請求項１】
被着面に対しシートを挟んで対向するように設けられるホルダー本体と、
前記ホルダー本体の両端に前記被着面と対向するようにそれぞれ設けられるマグネットと、
前記ホルダー本体の内部に設けられる表示体と、を備え、
前記ホルダー本体は、その内部において両端に配置されて前記マグネットを収納する一対の第一空間部と、該第一空間部の間に配置されて前記表示体を収納する第二空間部と、該第二空間部を覆う透明カバー部を有することを特徴とするシートホルダー。
【請求項２】
前記ホルダー本体が中空な帯材からなり、その両端の開口部から前記マグネットが挿入されて、前記第一空間部に前記マグネットをそれぞれ移動不能に固定することを特徴とする請求項１記載のシートホルダー。
【請求項３】
前記ホルダー本体が変形可能な材料で形成されることを特徴とする請求項１又は２記載のシートホルダー。
【発明の詳細な説明】
【技術分野】
【０００１】
本発明は、例えばメモ用紙や伝票類や予定表などの紙片又は紙葉若しくは写真などのシート状掲示物を壁面との間に保持するために用いるマグネット式のシートホルダーに関する。
【背景技術】
【０００２】
従来、この種のシートホルダーとして、壁等の被着座面に着座させるための着座用部を有する略長方形の着座用基板と、該着座用基板の後端側から折れ曲がり部を経て先端側へ延出されることで、前記着座用基板との間に紙等のシートの先端部を受け入れて収容する収容空間を構成する挟持用片とを有し、前記着座用部は、前記被着座面に対して磁力で着座するためのマグネット材を保有し、前記挟持用片は、透明なプラスチックで形成され、前記着座用基板における収容空間側の面に広告宣伝情報が記載され、シートを挟持していない状態において、それらの広告宣伝情報を視認可能とすることで、シートホルダーを広告宣伝媒体としても使用可能にしたものがある（例えば、特許文献１参照）。
【先行技術文献】
【特許文献】
【０００３】
【特許文献１】登録実用新案第３１５７４５１号公報
【発明の概要】
【発明が解決しようとする課題】
【０００４】
しかし乍ら、このような従来のシートホルダーでは、着座用基板における収容空間側の面に広告宣伝情報が記載されるため、シートを挟持していない時しか透明な挟持用片を透して広告宣伝情報が視認できず、広告宣伝媒体としての効果が劣るという問題があった。
さらに、着座用基板における収容空間側の面に広告宣伝情報を記載することが困難で、コスト高になるという問題もあった。
【０００５】
本発明は、このような問題に対処することを課題とするものであり、簡単な構造で外部から常時見える表示体を収納配備すること、などを目的とするものである。
【課題を解決するための手段】
【０００６】
このような目的を達成するために本発明は、被着面に対しシートを挟んで対向するように設けられるホルダー本体と、前記ホルダー本体の両端に前記被着面と対向するようにそれぞれ設けられるマグネットと、前記ホルダー本体の内部に設けられる表示体と、を備え、前記ホルダー本体は、その内部において両端に配置されて前記マグネットを収納する一対の第一空間部と、該第一空間部の間に配置されて前記表示体を収納する第二空間部と、該第二空間部を覆う透明カバー部を有することを特徴とする。
【発明の効果】
【０００７】
前述した特徴を有する本発明は、ホルダー本体の内部において、両端の第一空間部にマグネットをそれぞれ収納するとともに、第一空間部の間に配置される第二空間部に表示体を収納することにより、被着面に対しホルダー本体がマグネットの吸着でシートの有無に関係なく着脱自在に貼り付けられた状態において、表示体が第二空間部の前面を覆う透明カバー部を透して常時透視可能となる。
したがって、簡単な構造で外部から常時見える表示体を収納配備することができる。
その結果、シートを挟持していない時しか広告宣伝情報が視認できない従来のものに比べ、広告宣伝媒体としての効果を向上させることができる。
【図面の簡単な説明】
【０００８】
【図１】本発明の実施形態に係るシートホルダーの全体構成を示す説明図であり、（ａ）が分解斜視図、（ｂ）が被着面に貼り付けた状態の斜視図である。
【図２】ホルダー本体を捻って被着面に貼り付けた状態の斜視図である。
【図３】マグネットの変形例を示す説明図であり、（ａ）が分解斜視図、（ｂ）が被着面に貼り付けた状態の斜視図である。
【図４】ホルダー本体の変形例を示す説明図であり、（ａ）が分解斜視図、（ｂ）が被着面に貼り付けた状態の斜視図である。
【発明を実施するための形態】
【０００９】
以下、本発明の実施形態を図面に基づいて詳細に説明する。
本発明の実施形態に係るシートホルダーＡは、図１〜図４に示すように、壁面などの被着面Ｂに対しシートＣなどを挟んで対向するように設けられる帯状に形成されるホルダー本体１と、ホルダー本体１の両端に対し被着面Ｂと対向するようにそれぞれ設けられるマグネット２と、ホルダー本体１の内部に設けられる表示体３と、を主要な構成要素として備えている。
【００１０】
ホルダー本体１は、その内部において両端に配置されてマグネット２を収納する一対の第一空間部１ａと、第一空間部１ａの間に配置される中途位置に表示体３を収納する第二空間部１ｂと、第二空間部１ｂの前面を覆う透明カバー部１ｃを有している。
ホルダー本体１としては、例えば断面矩形の帯板状、断面円形の管状や円筒状、断面Ｕ字形の帯板状、断面コの字形の帯板状などに押出成形された中空な帯材を用いることが好ましい。
ホルダー本体１の材料としては、例えばシリコーンゴムや軟質合成樹脂などの透明又は半透明で且つ弾性変形可能な軟質材料を用いることが好ましい。さらに、ホルダー本体１は、例えばハサミやカッターなどの刃物により容易に切断可能な材料で形成して、ホルダー本体１のサイズを調整可能にすることが好ましい。
また、その他の例として図示しないが、ホルダー本体１の材料として不透明な材料を用いたり、変形不能な硬質材料を用いたり、刃物により切断不能な材料で形成することも可能である。またさらに、断面矩形の帯板状又は断面円形の管状や円筒状などの中空な帯材に形成されたホルダー本体１に、刃物で切れ目を入れることにより、第二空間部１ｂに対して表示体３を出し入れ自在に構成することも可能である。
【００１１】
マグネット２は、ホルダー本体１の短尺寸法よりも小さい磁石である。マグネット２の形状としては、矩形や円形又楕円形や多角形などの板状や薄板状に形成することが好ましい。
さらに、マグネット２は、その一方向の幅寸法を、ホルダー本体１における両端の開口部１ｄの幅寸法とほぼ同じか又はそれよりも若干大きく形成し、ホルダー本体１の両端の開口部１ｄからマグネット２を第一空間部１ａに向け挿入することにより、第一空間部１ａにそれぞれ移動不能に固定して、ホルダー本体１に対し一体的に組み付けることが好ましい。
ホルダー本体１の両端の開口部１ｄに対するマグネット２の挿入方法としては、開口部１ｄに対してマグネット２を圧入することにより、マグネット２の表面と第一空間部１ａの内面との間に発生する摩擦抵抗で、マグネット２を位置ズレ不能に位置決めすることが好ましい。
さらに加えて、マグネット２の表面と第一空間部１ａの内面との間には、例えば両面テープや接着剤などの接着手段（図示しない）が挟み込まれることで、マグネット２をより強固に固定することも可能である。
また必要に応じて、ホルダー本体１の両端の開口部１ｄに対してマグネット２を挿入した後に、開口部１ｄを蓋材（図示しない）によって密閉することも可能である。
【００１２】
表示体３は、その表面３ａ及び裏面３ｂに広告宣伝情報３ｃが記載されたシートやカード、又は砂鉄などの磁性体からなる粒状物品、着色されたゼリーなどの流動物品や液状物品などが用いられる。
特に、シートやカードの表面３ａ及び裏面３ｂに広告宣伝情報３ｃが上下逆向きにそれぞれ記載又は印刷されたものを用いることが好ましい。
【００１３】
一方、被着面Ｂは、マグネット２の磁力による吸着を許容する材質で形成される壁面であり、例えばスチール製の壁面、ホワイトボード、本棚、デスクなど、如何なるものであってもよい。
さらに、被着面Ｂとしては、冷蔵庫や洗濯機や魔法瓶などの表面が曲面状に形成されるものであってもよい。
シートＣは、紙からなるビジネス書類、メモ用紙、プラスチック製のファイル、写真などのシート状に形成されるものであれば、その材質は如何なるものであってもよい。
【００１４】
このような本発明の実施形態に係るシートホルダーＡによると、例えば図１（ａ）（ｂ）に示されるように、ホルダー本体１の内部において両端の第一空間部１ａのいずれか一方に対しマグネット２を収納した後に、第一空間部１ａの間に配置される第二空間部１ｂに表示体３を収納し、残りの第一空間部１ａにマグネット２を収納するか、又は第二空間部１ｂに表示体３を収納した後に、両端の第一空間部１ａの両方に対し一対のマグネット２をそれぞれ収納して組み付ける。
このように組み付けられたホルダー本体１を、使用者が被着面Ｂに対して、例えば図１（ｂ）に二点鎖線で示されるように、シートＣを挟んでマグネット２の吸着により着脱自在に貼り付けるか、又はシートＣを挟まずにマグネット２の吸着で直接的に着脱自在に貼り付けて使用する。
それにより、被着面Ｂに対しホルダー本体１がマグネット２の吸着でシートＣの有無に関係なく着脱自在に貼り付けられた状態において、表示体３が第二空間部１ｂの前面を覆う透明カバー部１ｃを透して使用者などに常時透視可能となる。
したがって、簡単な構造で外部から常時見える表示体３を収納配備することができる。
さらに、表示体３として、広告宣伝情報３ｃが記載されたシートやカードなどを収納した場合には、ホルダー本体１に広告を直接印刷するものに比べて、低コストの広告宣伝物（ノベルティーグッズ）として有効に利用できる。
表示体３として、例えば砂鉄などの磁性体からなる粒状物品を収納した場合には、マグネット２による磁力で装飾効果の高いシートホルダーＡを得ることができる。
表示体３として、着色されたゼリーなどの流動物品や液状物品を収納しても、装飾効果の高いシートホルダーＡを得ることができる。
【００１５】
特に、ホルダー本体１が中空な帯材からなり、その両端の開口部１ｄからマグネット２が挿入されて、第一空間部１ａにマグネット２をそれぞれ移動不能に固定する場合には、中空な帯材からなるホルダー本体１の第一空間部１ａにマグネット２がそれぞれ移動不能に収納配備される。
それにより、マグネット２を露出させることなく安定保持することができる。
その結果、長期間に亘って使用可能で且つ簡単な組み立てにより安価なシートホルダーＡを得ることができる。
次に、本発明の各実施例を図面に基づいて説明する。
【実施例１】
【００１６】
この実施例１は、図１（ａ）（ｂ）及び図２に示すように、ホルダー本体１が変形可能な軟質材料で形成される場合を示すものである。
図１（ａ）（ｂ）及び図２に示される例では、ホルダー本体１として、シリコーンゴムなどの透明な弾性材料で断面矩形の帯板状に押出成形された中空な帯材を用い、マグネット２として矩形の薄板状に形成された磁石２Ａを用い、ホルダー本体１の両端の開口部１ｄから、矩形の磁石２Ａをそれぞれ圧入し、矩形の磁石２Ａの表面を第一空間部１ａの内面に密着させることで、それぞれ移動不能に固定している。
【００１７】
このような本発明の実施例１に係るシートホルダーＡによると、ホルダー本体１が変形可能な材料で形成されるため、被着面Ｂが冷蔵庫や洗濯機などの曲面であっても被着面Ｂに沿ってホルダー本体１を変形させ、マグネット２で着脱自在に貼り付け可能になる。
それにより、被着面Ｂの形状に関係なくホルダー本体１を変形させてマグネット２で着脱自在に貼り付けることができるという利点がある。
特に、ホルダー本体１が薄板状や管状などに形成される場合には、図２に示されるように、ホルダー本体１を捻って被着面Ｂに貼り付けることもできるという利点がある。
この際、表示体３として、その表面３ａ及び裏面３ｂに広告宣伝情報３ｃが上下逆向きに記載されたシートやカードなどを収納した場合には、捻られたことで露出する裏面３ｂの広告宣伝情報３ｃも視認可能となるため、広告宣伝媒体としての効果をより向上させることができるという利点がある。
さらに、ホルダー本体１が弾性変形可能な軟質材料で形成される場合には、被着面Ｂに対してマグネット２を貼り付けた際に、それらの間に挟み込まれるホルダー本体１が緩衝して、マグネット２の突き当たり音を消音でき、被着面Ｂに対して静かに着脱できるという利点がある。
また、ホルダー本体１がハサミやカッターなどの刃物により容易に切断可能な軟質材料で形成される場合には、被着面Ｂとの間に挟み込むシートＣのサイズに合わせて、ホルダー本体１を簡単にサイズ調整できるという利点がある。
【実施例２】
【００１８】
この実施例２は、図３（ａ）（ｂ）に示すように、マグネット２として円形の薄板状に形成された磁石２Ｂを用いた構成が、図１及び図２に示した実施例１とは異なり、それ以外の構成は図１及び図２に示した実施例１と同じものである。
図３（ａ）（ｂ）に示される例では、ホルダー本体１として断面矩形の帯板状に押出成形された中空な帯材を用い、マグネット２として円形の磁石２Ｂを、ホルダー本体１の両端の開口部１ｄからそれぞれ圧入し、円形の磁石２Ｂの表面を第一空間部１ａの内面に密着させることで、それぞれ移動不能に固定している。
また、その他の例として図示しないが、矩形の薄板状で且つ円形の磁石２Ｂが入る貫通孔や凹部などの収納部が形成されたケースを用い、このケースに円形の磁石２Ｂを入れた状態で、ホルダー本体１の両端の開口部１ｄからそれぞれ圧入し、該ケースの表面を第一空間部１ａの内面に密着させることで、それぞれ移動不能に固定することも可能である。
前記ケースの材料としては、金属や合成樹脂などを用いるが、特に磁性体で形成することが好ましい。
【００１９】
このような本発明の実施例２に係るシートホルダーＡによると、前述した実施例１と同様な作用効果が得られる。
さらに、矩形の薄板状で且つ円形の磁石２Ｂが入る貫通孔や凹部などの収納部が形成されたケースを用い、ホルダー本体１の開口部１ｄから圧入した場合には、ケースを用いずにホルダー本体１の開口部１ｄから円形の磁石２Ｂを直接圧入したものに比べ、第一空間部１ａの内面との間に発生する摩擦抵抗が増大するため、円形の磁石２Ｂをより強固に固定できて、磁石２Ｂの脱落を防止できるという利点がある。
特に、金属などの磁性体からなる前記ケースを用いた場合には、該ケースも磁石２Ｂにより磁化するため、被着面Ｂに対する吸着力を増大させることができるという利点がある。
【実施例３】
【００２０】
この実施例３は、図４（ａ）（ｂ）に示すように、ホルダー本体１として、透明な弾性材料で断面円形の管状や円筒状に押出成形された中空な帯材を用いた構成が、図１及び図２に示した実施例１又は図３に示した実施例２とは異なり、それ以外の構成は図１及び図２に示した実施例１又は図３に示した実施例２と同じものである。
図４（ａ）（ｂ）に示される例では、マグネット２として矩形の薄板状に形成された磁石２Ａを用い、ホルダー本体１の両端の開口部１ｄから矩形の磁石２Ａをそれぞれ圧入し、矩形の磁石２Ａの表面を第一空間部１ａの内面に密着させることで、それぞれ移動不能に固定している。
また、その他の例として図示しないが、図３（ａ）（ｂ）に示される例のように、マグネット２として円形の薄板状に形成された磁石２Ｂを用い、ホルダー本体１の開口部１ｄから円形の磁石２Ｂをそれぞれ圧入したり、矩形の薄板状で且つ貫通孔や凹部などの収納部が形成されたケースに円形の磁石２Ｂを入れた状態で、ホルダー本体１の両端の開口部１ｄからそれぞれ圧入したりすることも可能である。
このような本発明の実施例３に係るシートホルダーＡによると、実施例１又は実施例２と同様な作用効果が得られる。
【００２１】
なお、前示実施例では、ホルダー本体１が変形可能な軟質材料で形成される場合を示したが、これに限定されず、ホルダー本体１を変形不能な硬質材料で形成してもよい。さらに、ホルダー本体１を不透明な材料で形成してもよい。
【符号の説明】
【００２２】
１  ホルダー本体                      １ａ  第一空間部
１ｂ  第二空間部                      １ｃ  透明カバー部
１ｄ  開口部                          ２  マグネット
３  表示体                            Ｂ  被着面
Ｃ  シート
【図１】
2014051083.tif 000003
【図２】
2014051083.tif 000004
【図３】
2014051083.tif 000005
【図４】
2014051083.tif 000006